(57)【要約】      （修正有）【課題】照明手段に自動車の照明灯を利用した看板を提供する。【解決手段】表面側に広告等の情報を表示した情報表示部１ａが設けられた透光性を有する看板本体１と、看板本体１を着脱自在に支持する支柱２ａと、支柱２ａが立設され、かつ自動車３の車輪３ａが乗り上げ自在な踏板２ｂと、自動車３の照明灯を利用して看板本体１を裏面側より照明する照明手段３ｂとから成る。【効果】商用電源を必要とせず看板本体を照明することができるため、看板と商用電源をケーブルにより接続する配線作業が不用となる上、夜間でも看板に表示した情報の伝達が良好に行えるように成る。【選択図】図６
2005221519.tif 000002
【特許請求の範囲】
【請求項１】
表面側に広告等の情報を表示した情報表示部が設けられた透光性を有する看板本体と、前記看板本体を着脱自在に支持する支柱と、前記支柱が立設され、かつ自動車の車輪が乗り上げ自在な踏板と、前記自動車の照明灯を利用して前記看板本体を裏面側より照明する照明手段とを具備したことを特徴とする看板。
【請求項２】
前記看板本体の裏面に、前記照明手段からの光を前記看板本体の全体に拡散させる光拡散手段を設けてなる請求項１に記載の看板。
【請求項３】
前記支柱を伸縮自在な内筒と外筒より形成し、かつ前記内筒と外筒の間に、前記看板本体の高さを調整する高さ調整手段を設けてなる請求項１または２に記載の看板。
【請求項４】
前記支柱に、のぼり旗の竿を固定するのぼり旗固定部を設けてなる請求項１ないし３の何れかに記載の看板。
【発明の詳細な説明】
【技術分野】
【０００１】
本発明は、自動車の照明灯を照明手段に使用した看板に関する。
【背景技術】
【０００２】
従来広告媒体として使用されている看板には多くの種類がある。
これら看板には、夜間でも広告等の情報が看板を見た人に十分に伝えられるように照明手段により照明するようにしたものがあり、これら看板は一般に照明看板と呼ばれている。
照明看板には、広告等の情報が表示された情報表示部を外側から照明する外照式看板と、情報表示部を内側から照明する内照式看板とがある（例えば特許文献１、２）。
【０００３】
外照式看板は、蛍光灯等の照明手段が看板本体の外側に設置されていて、照明手段より情報表示部を照明することにより、夜間でも看板を見た人に情報が十分に伝わるように工夫されている。
内照式看板は、照明手段が看板本体の内側に設置されていて、照明手段により情報表示部を内側から照明することにより、外照式看板と同様に夜間でも看板を見た人に情報が十分に伝わるように工夫されている。
【０００４】
一方新車や中古車を販売している自動車販売店では、自動車の価格や性能等の情報をユーザに伝えるために看板を使用している。
これらの用途に使用されている看板の多くは、適当な大きさの紙やシートに自動車の価格等の情報を表示して、車中や車外に設置している。
また自動車が関係した看板には、道路工事のために自動車の通行止めを表示したり、工事の内容等の情報を伝える看板、警察車両が検問のために「検問中」等の情報をドライバに告知し、もしくは消防車が消火のために自動車の通行止めを行う「消火活動中」等の情報をドライバに告知する看板等が一般に知られている。
【特許文献１】特開２００３−５１２１１号公報
【特許文献２】特開２００３−１５７０３２号公報
【発明の開示】
【発明が解決しようとする課題】
【０００５】
しかし従来の外照式看板や内照式看板は、何れも照明手段を点灯するための商用電源を必要とするため、看板と商用電源とをケーブルにより接続する配線作業が必要となり、看板を設置するのに多くの手間と費用がかかる等の問題がある。
また自動車の販売店等で使用されている展示用の看板には、照明手段が設けられていないものがあり、この種の看板は夜間になると情報表示部に表示された情報が見え難くなったり、全く見えなくなることがあるため、広告効果が極端に低下する等の問題がある。
さらに自動車の外側に設置した看板の場合、固定が不十分だと風等により看板が倒れたり飛んだりして、近くの自動車や、自動車を見に来たユーザに当たる心配がある等の問題がある。
一方自動車に関係した看板のうち、臨時的に設置される「検問中」や「消火活動中」等の情報が表示された看板は、照明手段が設けられていない場合が多いため、夜間になると看板が見え難くなって事故の原因となる等の問題がある。
【０００６】
本発明はかかる問題を改善するためになされたもので、照明手段に自動車の照明灯を利用した看板を提供して、商用電源を必要とせずに夜間でも看板に表示した情報の伝達が良好に行えるようにすることを目的とするものである。
【課題を解決するための手段】
【０００７】
本発明の看板は、表面側に広告等の情報を表示した情報表示部が設けられた透光性を有する看板本体と、看板本体を着脱自在に支持する支柱と、支柱が立設され、かつ自動車の車輪が乗り上げ自在な踏板と、自動車の照明灯を利用して看板本体を裏面側より照明する照明手段とから構成したものである。
【０００８】
前記構成により、商用電源を必要とせずに看板本体を照明することができるため、看板と電源とをケーブルにより接続する配線作業が不要となり、看板を設置するのに多くの手間と費用がかかる等の問題を解消することができる。
また自動車に関係した看板の場合も、自動車の照明灯よりなる照明手段により看板本体に表示された情報を明るく照明することができるため、看板が見え難くいために発生する事故を未然に防止できると共に、看板と電源をケーブルで接続する配線作業が不要となるため、看板の設置や撤収が短時間で容易に行える。
さらに自動車の自重を利用して看板を固定することができるため、風等により看板が倒れたり飛んだりして、近くの自動車や自動車を見に来たユーザに当たる等の心配も解消することができる。
【０００９】
本発明の看板は、看板本体の裏面に、照明手段からの光を看板本体の全体に拡散させる光拡散手段を設けたものである。
【００１０】
前記構成により、情報表示部をほぼ均一に照明することができるため、夜間でも情報表示部に表示された情報を確実にユーザへ伝えることができる。
【００１１】
本発明の看板は、支柱を伸縮自在な内筒と外筒より形成し、かつ内筒と外筒の間に、看板本体の高さを調整する高さ調整手段を設けたものである。
【００１２】
前記構成により、自動車の車種により照明灯の高さが変わっても、高さ調整手段により看板本体の高さを調整することにより、看板本体を的確に照明することができる。
【００１３】
本発明の看板は、支柱にのぼり旗の竿を固定するのぼり旗固定部を設けたものである。
【００１４】
前記構成により、必要に応じてのぼり旗取り付け部にのぼり旗の竿を挿入することにより、支持手段にのぼり旗の竿を固定することができるため、看板とのぼり旗の双方で広告効果をさらに上げることができる。
【発明の効果】
【００１５】
本発明の看板によれば、商用電源を必要とせずに看板本体を照明することができるため、看板と商用電源をケーブルにより接続する配線作業が不要となり、看板を設置するのに多くの手間と費用がかかる等の問題を解消することができる上、夜間でも看板に表示した情報の伝達が良好に行えるようになる。
【発明を実施するための最良の形態】
【００１６】
本発明の実施の形態を、図面を参照して詳述する。
図１は看板の正面図、図２は同平面図、図３は同側面図、図４は高さ調整手段の拡大図、図５は図１のＡ−Ａ線に沿う断面図、図６及び図７は使用状態の説明図である。
図面に示す看板は、例えば自動車販売店が自動車の価格や性能等の情報をユーザに伝えるために設置するもので、情報表示部１ａを有する看板本体１と、看板本体１を支持する支持手段２とよりなる。
看板本体１は、看板を展示する自動車３の車幅とほぼ同じ長さで、かつボンネットとほぼ同じ高さの長方形の板体や可撓性シートにより形成されている。
看板本体１が図１に示すように板体の場合は、透光性を有する例えばアクリル樹脂板により形成されていて、周辺部にステンレスやアルミニウム等の腐食しにくい金属により形成された枠体１ｂが嵌着されている。
【００１７】
看板本体１の前面は、自動車３の価格や性能等の情報を表示する情報表示部１ａとなっていて、この情報表示部１ａに、文字や写真、絵等の情報が切り文字や印刷等の手段で表示されており、これら情報も透光性を有している。
看板本体１の裏面側には、自動車３の例えば前照灯や車幅灯等の照明灯を照明手段３ｂとして使用した際に、照明手段３ｂにより情報表示部１ａの全体がほぼ均一に照明できるよう光拡散シートよりなる光拡散手段５が全面に設けられている。
光拡散手段５は、高透過率、高拡散率を有し、かつ軽量、高強度で、しかも不燃性の例えばフッ素樹脂シートとガラス繊維シートの複合材料よりなる光拡散シートが使用されており、看板本体１がアクリル樹脂板により形成されている場合は、アクリル樹脂板の裏面に接着剤等の手段で接着され、看板本体１が可撓性シートの場合は、可撓性シートに接着剤や溶着等の手段で接着されている。
【００１８】
また看板本体１は、両端側の枠体１ｂ部分が支持手段２の支柱２ａにビス等の固着具（図示せず）により着脱自在に取り付けられている。
支持手段２は左右一対の支柱２ａと、これら支柱２ａが立設された踏板２ｂとからなる。
支柱２ａは、外筒２ｃと内筒２ｄとからなる鋼管等の金属管により形成されており、外筒２ｃの上端側より内筒２ｄが上下方向へ伸縮自在に外筒２ｃ内に嵌挿されていて、自動車３の照明手段３ｂの高さに応じて看板本体１が取り付けられた内筒２ｄの高さが調整できるようになっており、外筒２ｃと内筒２ｄの間には、看板本体１を調整位置に固定する高さ調整手段５が設けられている。
【００１９】
高さ調整手段５は図４に示すように、外筒２ｃ側に設けられた複数の高さ調整孔５ａと、内筒２ｄの下端に設けられた固定孔５ｂ及びボルト等の固着具５ｃとからなる。
高さ調整孔５ａは外筒２ｃの高さ方向に等間隔に複数個所穿設されていて、これら高さ調整孔５ａの１個と、内筒２ｄの固定孔５ｂを合致させた状態で、高さ調整孔５ａと固定孔５ｂに図４に示すように固着具５ｃを挿通して締め付けることにより、高さ調整位置に看板本体１を固定できるようになっている。
支柱２ａの外筒２ｃ外周面には、外筒２ｃより長さの長いのぼり旗取り付け部２ｅが溶接等の手段で固着されている。
のぼり旗取り付け部２ｅは、のぼり旗６の竿６ａの下端部を上方より差し込むことによりのぼり旗６を支持するもので、のぼり旗６には、広告文字等の情報（図示せず）が表示されている。
【００２０】
また支柱２ａの外筒２ｃ下端は、踏板２ｂの一端側外側縁に溶接等の手段で固着されている。
踏板２ｂは例えば縞鋼鈑を長方形状に切断することにより形成されていて、上面が滑り止め面となっており、下面にはゴム板７が接着等の手段で固着されている。
踏板２ｂの長さは、自動車３の車輪３ａが他端側上面に乗り上げても看板本体１と自動車３の前面との間に適当な隙間Ｌが生じるように設定されており、外筒２ｃの外周面と踏板３ｂの上面との間には、ほぼ３角形に形成された補強リブ２ｇが複数個所溶接されていて、看板本体１に当たる風圧に対して十分な強度が得られるようになっている。
【００２１】
次に前記構成された看板の作用を説明すると、自動車３の販売店等で看板を使用する場合、自動車３の価格や性能等、自動車３の販売に必要な情報を予め看板本体１の情報表示部１ａに切り文字や印刷等の手段で表示する。
そして情報を表示した看板本体１を支持手段２の支柱２ａ間に固着具により取り付けるが、予め看板本体１の横幅を広告する自動車３の車幅とほぼ同じに設定してあるため、看板本体１を取り付けた支持手段２の間隔は車幅とほぼ同じになる。
【００２２】
次に看板本体１の表面に設けられた情報表示部１ａが外部から見やすいように屋内や屋外に看板を設置したら、自動車３を看板本体１に向けて移動させて、自動車３の車輪３ａを支持手段２の踏板２ｂ上へ乗り上げて、自動車３の自重により支持手段２を床面や地面に固定するが、このとき看板本体１と自動車３の前面との間に、図６に示すように適当な隙間Ｌを保持する。
また自動車３の照明手段３ｂの高さが看板本体１の中間部とずれがある場合は、高さ調整手段５の固着具５ｃを外して、看板本体１の上下方向のほぼ中間が自動車３の照明手段３ｂと一致するよう支柱２ａの内筒２ｄを上下方向へ伸縮して高さ調整し、高さが一致したら、固着具５ｃを高さ調整孔５ａ及び固定孔５ｂに挿入して、外筒２ｃに対し内筒２ｄを固定する。
【００２３】
一方昼間のように明るい時には、看板本体１の情報表示部１ａに表示された情報を十分にユーザに伝えることができるが、夜間になって情報が見え難くなったり、見えなくなった場合は、自動車３の照明手段３ｂを点灯して、看板本体１の裏面側を照明する。
看板本体１の裏面側には光拡散手段４が設けられていて、この光拡散手段４により照明手段３ｂの光が看板本体１の全体に拡散された後看板本体１の前面側へ透過して、情報表示部１ａをほぼ均一に照明するため、夜間でも情報表示部１ａに表示された情報を確実にユーザへ伝えることができる。
また照明手段３ｂに自動車３の前照灯等の照明灯を利用しているため、看板本体１と商用電源とを接続するケーブル等の配線が不要となり、これによって駐車場のような広い場所の外から見やすい位置に看板が容易に設置できると共に、看板本体１の照明中は自動車３をアイドリング状態にしておくことにより、バッテリが過放電になるのを防止することもできる。
【００２４】
以上は自動車の販売店等で使用する看板の場合であるが、例えば道路工事を告知する看板や、検問、消火活動中等に使用する看板にも同様に使用できる。
特に検問中や消火活動中は自動車３のエンジンをかけた状態で使用することが多いことから、前照灯を上向き（ハイビーム）状態で看板本体１を裏面側より照明することにより、情報表示部１ａに表示された情報が遠方からでも容易に視認することができるため、夜間でも事故を未然に防止できるようになる。
【００２５】
なお、看板を使用する自動車３の車幅が変わった場合、予め車幅に合わせた看板本体１に交換することにより、支持手段２の間隔も車幅に応じて変わるため、踏板２ｂに車輪３ａを乗り上げられなくなったり、支持手段２の固定が不安定になることがない。
また看板本体１を可撓性シートで製作した場合は、可撓性シートの両端を袋状に縫製して、この袋状部に支柱２ａの内筒２ｄを挿入することにより、支柱２ａに看板本体１を簡単に取り付けることができると共に、看板本体１を可撓性シートで製作した場合折り畳むことができるため、看板の移動が容易に行えるようになる。
さらに必要に応じて支持手段２ののぼり旗取り付け部２ｅに、図７に示すようにのぼり旗６の竿６ａを挿入することにより、看板とのぼり旗６の相乗効果により広告効果をさらに上げることもできる。
【図面の簡単な説明】
【００２６】
【図１】本発明の実施の形態になる看板の正面図である。
【図２】本発明の実施の形態になる看板の平面図である。
【図３】本発明の実施の形態になる看板の側面図である。
【図４】本発明の実施の形態になる看板に設けられた高さ調整手段の拡大図である。
【図５】図１のＡ−Ａ線に沿う断面図である。
【図６】本発明の実施の形態になる看板の使用状態を示す側面図である。
【図７】本発明の実施の形態になる看板の使用状態を示す斜視図である。
【符号の説明】
【００２７】
１    看板本体
１ａ    情報表示部
２ａ    支柱
２ｂ    踏板
２ｃ    外筒
２ｄ    内筒
３    自動車
３ａ    車輪
３ｂ    照明手段
４    光拡散手段
５    高さ調整手段
６    のぼり旗
６ａ    竿
【図１】
2005221519.tif 000003
【図２】
2005221519.tif 000004
【図３】
2005221519.tif 000005
【図４】
2005221519.tif 000006
【図５】
2005221519.tif 000007
【図６】
2005221519.tif 000008
【図７】
2005221519.tif 000009